(57)【要約】  このインプラント（７０）は、人間または動物の体の腔所に導入されることを意図しており、腔所内に存在する生物学的隆起をその間に把持して、インプラント（７０）を生物学的隆起に取り付けることを意図した２つの壁部を含む。  各壁部は、波状部を有する構造要素（７６，７８；８４，８６）を含み、これにより、構造要素（７６，７８；８４，８６）が、それ自身に対して複数回折り畳まれるようになっており、壁部（７６，７８；８４，８６）を、インプラント（７０）の導入の前に折り畳み、次いで腔所内で展開することを可能にする。
2020529260.tif 000002
【特許請求の範囲】
【請求項１】
人間または動物の体の腔所（３４）に導入されることを意図した医療用インプラント（１０；７０）であって、
前記腔所（３４）内に存在する生物学的隆起（３８）をその間に把持して、前記インプラント（１０）を前記生物学的隆起（３８）に取り付けるための２つの壁部を備える、少なくとも１つのクリップを含み、
前記インプラント（１０）は、各壁部（１８，２０）が、波状部を有する構造要素（２８，３０；７６，７８；８４，８６）を含み、これにより、前記構造要素（２８，３０；７６，７８；８４，８６）が、それ自身に対して複数回折り畳まれるようになっており、前記壁部（１８，２０）を、前記インプラント（１０；７０）の導入の前に折り畳み、次いで前記腔所（３４）内で展開することを可能にする、ことを特徴とするインプラント。
【請求項２】
前記構造要素（２８，３０；７６，７８；８４，８６）は、ロッドである、ことを特徴とする請求項１に記載のインプラント（１０；７０）。
【請求項３】
長手方向（Ｌ）に細長い形状を有し、さらに、前記壁部（１８，２０）から前記長手方向（Ｌ）に対して垂直の方向（Ｖ，Ｔ）に突出する、少なくとも１つのスタビライザ（２２，２４）を含む、ことを特徴とする請求項１または２に記載のインプラント（１０）。
【請求項４】
前部スタビライザ（２４）を含む前部（１６）と、前記壁部（１８，２０）を含む中央部（１４）と、後部スタビライザ（２２）を含む後部（１２）とを含む、ことを特徴とする請求項３に記載のインプラント（１０）。
【請求項５】
前記スタビライザ（２２，２４）は、前記インプラント（１０）の導入の前に平らにされ、次いで、前記腔所（３４）の内部で展開されるように設計されたメッシュ構造を含む、ことを特徴とする請求項３または４に記載のインプラント（１０）。
【請求項６】
前記メッシュ構造は、少なくとも０．１ｃｍ２の面積をそれぞれが有するメッシュを有する、ことを特徴とする請求項５に記載のインプラント（１０）。
【請求項７】
抗炎症および／または抗菌コーティング（３２）をさらに有する、ことを特徴とする請求項１乃至６のいずれかに記載のインプラント（１０；７０）。
【請求項８】
少なくとも前記構造要素（２８，３０；７６，７８；８４，８６）は、所定温度よりも上で展開するように設計された形状記憶材料を含む、ことを特徴とする請求項１乃至７のいずれかに記載のインプラント（１０；７０）。
【請求項９】
少なくとも前記構造要素（２８，３０；７６，７８；８４，８６）は、超弾性および／または吸収性材料を含む、ことを特徴とする請求項１乃至８のいずれかに記載のインプラント（１０；７０）。
【請求項１０】
前記クリップの少なくとも１つの、各壁部は、前記壁部の後縁部から前縁部にかけて減少する高さを有する、ことを特徴とする請求項１乃至９のいずれかに記載のインプラント（７０）。
【請求項１１】
前記クリップの少なくとも１つの、各壁部は、前記壁部の後縁部から前縁部にかけて一定の高さを有する、ことを特徴とする請求項１乃至１０のいずれかに記載のインプラント（１０；７０）。
【請求項１２】
前記クリップの少なくとも１つの、各壁部のために、この壁部の縁部に沿って延びる構造補強要素をさらに含む、ことを特徴とする請求項１乃至１１のいずれかに記載のインプラント（７０）。
【請求項１３】
各構造補強要素は、この構造補強要素の圧縮を可能にする波状部を有するロッド（８０，８２，８８，９０）を含む、ことを特徴とする請求項１２に記載のインプラント（７０）。
【請求項１４】
前記クリップは、前記腔所（３４）内に存在する２つの生物学的隆起（３８，４０）をそれぞれ把持して、両方の生物学的隆起に同時に前記インプラント（７０）を取り付けることを意図した２つのクリップを備える、ことを特徴とする請求項１乃至１３のいずれかに記載のインプラント（７０）。
【請求項１５】
２つの前記クリップは、一方が他方の上に位置し、鼻腔（３４）の中鼻甲介（３８）と、下鼻甲介（４０）とをそれぞれ把持することが可能である、ことを特徴とする請求項１４に記載のインプラント（７０）。
【発明の詳細な説明】
【技術分野】
【０００１】
本発明は、生物学的隆起に対してクリップ留めすることを意図した医療用インプラントに関する。
【０００２】
本発明は、特に、人間または動物の体の腔所に導入されることを意図した医療用インプラントに適用され、このインプラントは、腔所内に存在する生物学的隆起をその間に把持して、インプラントを生物学的隆起に取り付けるための２つの壁部を備える少なくとも１つのクリップを含む。
【背景技術】
【０００３】
ＵＳ２０１３／０２７６７９４Ａ１の番号で公開された米国特許出願は、このようなインプラントを説明している。このインプラントは、鼻腔内の外科手術中に中鼻甲介を保護することを意図している。よって、インプラントの使用は、外科手術の時間中にのみ必要とされる。したがって、このインプラントは、長時間、例えば数ヶ月にわたって定位置で保持するためには適していない。
【０００４】
よって、上述の問題および制約の少なくとも一部を克服することを可能にする、医療用インプラントを提供することが望まれる場合がある。
【発明の概要】
【発明が解決しようとする課題】
【０００５】
本発明の目的は、したがって、人間または動物の体の腔所に導入されることを意図した、医療用インプラントであり、腔所内に存在する生物学的隆起をその間に把持して、インプラントを生物学的隆起に取り付けるための２つの壁部を備える、少なくとも１つのクリップを含み、インプラントは、各壁部が、波状部を有する構造要素を含み、これにより、構造要素が、それ自身に対して複数回折り畳まれるようになっており、壁部を、インプラントの導入の前に折り畳み、次いで腔所内で展開することを可能にする、ことを特徴とするインプラントである。
【課題を解決するための手段】
【０００６】
よって、本発明に係るインプラントは、インプラントを生物学的隆起に対して安定かつ耐久的に取り付けることを可能にし、一方で、狭い開口を通して腔所に導入することが可能である、大きな壁部を有することができる。
【０００７】
任意で、構造要素は、ロッドである。
【０００８】
また、任意で、インプラントは、長手方向に細長い形状を有し、さらに、壁部から長手方向に対して垂直の方向に突出する、少なくとも１つのスタビライザを含む。
【０００９】
また、任意で、インプラントは、前部スタビライザを含む前部と、壁部を含む中央部と、後部スタビライザを含む後部とを含む。
【００１０】
また、任意で、スタビライザは、インプラントの導入の前に平らにされ、次いで、腔所の内部で展開されるように設計されたメッシュ構造を含む。
【００１１】
また、任意で、メッシュ構造は、少なくとも０．１ｃｍ２の面積をそれぞれが有するメッシュを有する。
【００１２】
また、任意で、インプラントは、抗炎症および／または抗菌コーティングをさらに有する。
【００１３】
また、任意で、少なくとも構造要素は、所定温度よりも上で展開するように設計された形状記憶材料を含む。
【００１４】
また、任意で、少なくとも構造要素は、超弾性および／または吸収性材料を含む。
【００１５】
また、任意で、クリップの少なくとも１つの、各壁部は、壁部の後縁部から前縁部にかけて減少する高さを有する。
【００１６】
また、任意で、クリップの少なくとも１つの、各壁部は、壁部の後縁部から前縁部にかけて一定の高さを有する。
【００１７】
また、任意で、クリップの少なくとも１つの、各壁部のために、この壁部の縁部に沿って延びる構造補強要素をさらに含む、
また、任意で、各構造補強要素は、この構造補強要素の圧縮を可能にする波状部を有するロッドを含む。
【００１８】
また、任意で、クリップは、腔所内に存在する２つの生物学的隆起をそれぞれ把持して、両方の生物学的隆起に同時にインプラントを取り付けることを意図した２つのクリップを備える。
【００１９】
また、任意で、２つのクリップは、一方が他方の上に位置し、鼻腔の中鼻甲介と、下鼻甲介とをそれぞれ把持することが可能である。
【００２０】
本発明は、単なる例として与えられ、添付の図面を参照してなされる以下の説明を用いて、より良く理解されるであろう。
【図面の簡単な説明】
【００２１】
【図１】展開した状態での、本発明の第１の実施形態に係る、医療用インプラントの概略構造を示す模式図。
【図２】展開した状態での、本発明の第１の実施形態に係る、医療用インプラントの概略構造を示す模式図。
【図３】展開した状態での、本発明の第１の実施形態に係る、医療用インプラントの概略構造を示す模式図。
【図４】展開した状態での、本発明の第１の実施形態に係る、医療用インプラントの概略構造を示す模式図。
【図５】人間の鼻腔を模式的に示す図。
【図６】折り畳まれた状態にあるインプラントを模式的に示す図。
【図７】インプラントを展開するための装置を模式的に示す図。
【図８】生物学的隆起に対してクリップ留めされたインプラントを模式的に示す図。
【図９】本発明の第２の実施形態に係る、展開した状態の、医療用インプラントの概略構造を模式的に示す図。
【図１０】図９のインプラントの圧縮状態を模式的に示す図。
【発明を実施するための形態】
【００２２】
以下の説明において、要素は、長手方向Ｌと、垂直方向Ｖと、横断方向Ｔとにより形成される直交基準フレームを参照して説明される。
【００２３】
展開した状態で図１〜図４に模式的に示される、本発明の第１の実施形態に係るインプラント１０は、長手方向Ｌに細長い概略形状をしており、前部１６と、中央部１４と、後部１２とを有する。
【００２４】
中央部１４は、人間または動物の体の腔所内に存在する生物学的隆起に対して、クリップ留めすることを意図している。このために、中央部１４は、２つの壁部１８，２０を含み、この壁部は、互いに実質的に向かい合って延び、生物学的隆起をその間に把持することを意図している。各壁部１８，２０は、インプラント１０の前部１６と後部１２とに取り付けられた下縁部を有する。説明される例では、２つの壁部１８，２０は、平面状であり、長手方向および垂直方向によって定義される平面に平行に延びる。さらに、壁部１８，２０は、３０〜５０ｍｍの間に含まれる、例えば４０ｍｍの長さと、２０〜３０ｍｍの間に含まれる、例えば２５ｍｍの高さとを有する。
【００２５】
さらに、説明される例において、前部１６および後部１２は、腔所内でインプラント１０を安定させることを意図した前部スタビライザ２４と、後部スタビライザ２２とをそれぞれ含む。このために、スタビライザ２２，２４のそれぞれは、中央部１４から垂直方向および／または横断方向に突出し、これにより、インプラント１０は、中央部１４のみ、特に壁部１８，２０のみよりも大きな、垂直方向および／または横断方向の空間条件を有する。よって、インプラント１０は、腔所内で移動しにくく、それは、その空間条件によって、腔所の壁部に迅速に接触させられるからである。さらに、この空間条件により、インプラント１０は、腔所につながる開口部を通りにくく、よって、腔所から出るリスクが低い。説明される例では、後部スタビライザ２２は、円盤状であり、前部スタビライザ２４は、球形状である。さらに、スタビライザ２２，２４は、１０〜２０ｍｍの間に含まれる、例えば１５ｍｍの直径を有する。一般的なやり方では、スタビライザ２２，２４の形状およびサイズは、腔所の形状に適合される。
【００２６】
インプラント１０は、さらに、少なくとも１つの生物学的量のセンサ２６を含んでもよい。各センサは、例えば、インプラント１０の中央部１４に取り付けられ、限定はされないが、酸素レベル、生体組織またはインプラント１０周辺の圧力等の少なくとも１つの生体パラメータを、その場で評価することを可能にする。好ましくは、各センサ２６は、センサ２６によって集められたデータを、人間または動物の体の外部に位置するスマートフォンまたはタブレット等の計算装置に伝送することを可能にする、ワイヤレス通信システムを含む。インプラント１０における１つまたは複数のセンサ２６の存在は、よって、様々な生物学的パラメータの監視を可能にし、その知識は、耳鼻咽喉科、脳神経外科またはその他の医療専門分野において有用である。
【００２７】
専用のソフトウェアをプログラミングして、測定値が収まるべき基準間隔に対する、測定値のずれを検出することができる。ずれが検出された場合、自動警告を、医療従事者に対して（例えば電子メールまたはショートテレフォンメッセージ（ＳＭＳ）により）送信することができ、これにより医療従事者は、例えば、インプラント１０が取り付けられた患者に警告を行う。代替的または追加的に、自動警告を、患者に、あるいは、医療従事者および／または患者の呼び出しを担当するコール処理センターに、直接送信することができる。測定値が得られると、医療従事者は、それらを用いて、患者が退院した後の予期せぬ出来事に対応したり、診断を実行または改善したりすることができ、これにより、患者の治療を個人化することを可能にする。さらに、取得した測定値を用いて、記録またはその他の種類のデータベースを構築したり、提供したりすることができる。
【００２８】
インプラント１０の腔所への導入を容易にするために、各壁部１８，２０は、長手方向の波状部を有するロッド２８，３０を含み、ロッド２８，３０は、それ自体に対して複数回、折り畳まれるようになっている。より具体的には、ロッドは、バーの一端から他端への交互の蛇行によってその端部が連結された、垂直方向の平行バーを有する。よって、各壁部１８，２０は、バーを互いに近づけることにより、長手方向に折り畳むことができる。さらに、ロッド２８，３０は、前部スタビライザ２４に取り付けられた前端と、後部スタビライザ２２に取り付けられた後端とを有する。
【００２９】
インプラント１０の導入をさらに容易にするために、スタビライザ２２，２４は、インプラント１０を導入する前に平らにするように設計されたメッシュ構造を含む。好ましくは、メッシュ構造は、少なくとも０．１ｃｍ２の面積をそれぞれが有するメッシュを含んでおり、スタビライザ２２，２４を通した生体液の流れを可能にする。
【００３０】
好ましくは、壁部１８，２０のロッドと、スタビライザ２２，２４のメッシュ構造とは、形状記憶および／または超弾性特性を有する材料で形成される。
【００３１】
形状記憶特性は、変形された材料が、所定の温度を超えて加熱されると、その元の形状に戻ることを可能にする。例えば、材料は、その温度が所定の閾値を超えると、その展開された形状に自動的に戻るように構成されており、この閾値は、好ましくは、３６℃〜３８℃の間に含まれ、例えば、３７℃である。これらの温度は、人間または動物の体の腔所内の通常の温度に対応する。
【００３２】
弾性特性は、応力により変形されていた材料が、応力が止まるとその初期形状に戻ることを可能にする（これは弾性変形と呼ばれる）。超弾性特性は、同じものだが、非常に大きな変形まで伸長する。
【００３３】
好ましくは、“形状記憶合金”と呼ばれる材料が用いられ、これは、形状記憶材料は、形状記憶および超弾性特性の両方を有するからである。例えば、用いられる形状記憶材料は、ニチノール（Ｎｉｔｉｎｏｌ）であり、これは、その超弾性能力、形状記憶、および生物による良好な耐性のために、医療分野でますます用いられている、ニッケル−チタン合金である。
【００３４】
さらに、好ましくは、壁部１８，２０のロッド２８，３０およびスタビライザ２２，２４のメッシュは、好ましくは溶着なしで、所望の形状を得るために折り畳まれた単一のワイヤで作製される。
【００３５】
図２から図４を参照すると、インプラント１０は、好ましくは、抗炎症および／または抗菌コーティング（図では点線３２で示されている）を有する。さらに、治療用コーティング、例えば、抗感染剤、抗癌剤、抗肉芽腫、コルチコステロイドコーティング、あるいはポリポーシスまたは慢性副鼻腔炎を治療するためのコーティングを有してもよい。各コーティングは、所定の期間、たとえば少なくとも１週間、関連する治療を提供することが可能である。
【００３６】
説明された例では、インプラント１０は、図５に示される鼻腔３４に導入されることを意図している。鼻腔３４（鼻窩とも呼ばれる）は、鼻孔３５の背部で延びる。上鼻甲介３６，中鼻甲介３８、下鼻甲介４０は、フィルタとして機能し、空気その他の流体の良好な循環を可能にする。中鼻甲介３８に対して横方向に位置する鉤状突起４２は、上顎洞口の入り口の境界を定める。
【００３７】
中鼻甲介３８および／または鉤状突起４２に作用する手術の後、鼻腔３４の粘膜の完全性が影響を受ける可能性がある。したがって、中鼻甲介３８が側性化する、すなわち、鉤線状突起および／または下鼻甲介４０に付着して、望ましくない瘢痕を引き起こすリスクがある。説明される例では、インプラント１０は、中鼻甲介３８の側性化のリスクを減らすことを目的としている。
【００３８】
図６を参照すると、インプラント１０は、壁部１８，２０が長手方向Ｌに沿って折り畳まれ、スタビライザ２２，２４が、垂直方向Ｖおよび横断方向Ｔによって定義される平面内で平らにされ、かつ直線形になっている、折り畳まれた状態で示されている。よって、インプラント１０は、非常にコンパクトであり、垂直方向Ｖに沿って細長い形状を有する。
【００３９】
図７に示される展開装置４４を用いて、鼻腔３４内でインプラント１０を展開することができる。
【００４０】
展開装置４４は、好ましくは透明である中空管４６を有する注射器の一般的形状を有し、折り畳まれた状態にあるインプラント１０は、この中空管４６内に設置されることを意図しており、中空管４６内を摺動するピストン４８が、インプラント１０を中空管４６の遠位端５０に向けて押す。好ましくは、遠位端５０は、中空管４６の残りの部分よりも柔軟な材料で作製され、その導入中に粘膜を損傷しないようにし、これにより患者の快適さを高める。
【００４１】
ピストン４８は硬質であり、かつ、遠位端にプレート５２を有し、近位端に押しボタン５４を有する。展開装置４４は、中空管４６の近位端５６に、ユーザが中空管４６に対してピストン４８を手動で摺動させることを、押しボタン５４と連携して可能にする、後退フィン５８をさらに含む。
【００４２】
ピストン４８には、中間マーカー６０および遠位マーカー６２が設けられている。遠位マーカー６２は、折り畳まれた状態のインプラント１０の（垂直方向Ｖに沿った）長さに対応する距離だけ、押しボタン５４から離れている。マーカー６０，６２は、後に説明するように、鼻腔３４内のインプラント１０の正しい位置決めを、確実にすることを意図している。
【００４３】
インプラント１０を、鼻腔３４内に導入するために、インプラント１０を収容する中空管４６を鼻孔３５に挿入し、次いで、その近位端５６が鼻孔３５の入り口に来るまで、鼻腔３４に挿入する。ピストン４８は、次いで、その近位端５６を通して中空管４６に挿入され、プレート５２は、インプラント１０と接触する。押しボタン５４と後退フィン５８とを同時に動作させることにより、中空管４６は、次いで鼻腔３４から徐々に引き出され、その間、ピストン４８が、中鼻甲介３８付近で、中空管４６の遠位端５０を通して鼻腔３４内にインプラント１０を押し出す。
【００４４】
マーカー６０，６２は、この段階での位置特定を可能にする。より具体的には、遠位マーカー６２が、中空管４６の近位端５６と並ぶことで、インプラント１０が中空管４６の遠位端５０から出始めようとしていることを示す。さらに、内側マーカー６０が、中空管４６の近位端５６と並ぶことで、インプラント１０の半分がその遠位端５０を通って中空管４６から出たことを示す。最後に、押しボタン５４と中空管４６の近位端５６とが接触することで、インプラント１０の全てが中空管４６から出たことを示す。
【００４５】
鼻腔３４内の温度は、約３７℃であり、形状記憶インプラント１０は、鼻腔３４によって、３７℃まで加熱され、この温度は、展開閾値よりも高いため、インプラント１０が展開し、すなわち図１〜図４に示される構成に自動的に戻る。あるいは、超弾性特性が使用される場合、インプラント１０は、中空管４６から出る際に、自動的にその初期形状に戻り、これは、中空間４６によってインプラント１０に加えられる応力が、止まるためである。どちらの場合も、図８に示すように、２つの壁部１８，２０は、中鼻甲介３８の両側に展開してこれを把持する。よって、インプラント１０は、中鼻甲介３８にクリップ留めされ、鼻腔３４内でしっかりと固定される。さらに、スタビライザ２２，２４の存在は、図５に示すような、鼻孔３５からのインプラントの放出、または口腔咽頭４３によるその飲み込みを防ぐ。この位置では、インプラント１０は、中鼻甲介３８が鉤状突起４２および／または下鼻甲介４０と接触することを防ぐ物理的障壁を形成する。さらに、抗炎症および／または抗菌コーティング３２は、生組織の急速な瘢痕化を可能にし、したがって、中鼻甲介３８の側性化のリスクを低減する。さらに、コーティング３２は、外科的介入を必ずしも行わずに、コーティング３２が治療するように適合されているポリープ症、副鼻腔炎または他の何らかの鼻窩の病気の治療を可能にすることもできる。最後に、スタビライザ２２，２４のメッシュにより、鼻腔３４を洗浄することができる。
【００４６】
本発明の第２の実施形態に係る医療用インプラント７０は、図９において、展開状態で概略的に示されている。インプラント７０は、人間または動物の体の腔所に存在する２つの生物学的隆起にそれぞれクリップ留めすることを意図した２つの部分７２，７４を含む。説明される例では、２つの部分７２，７４は互いに垂直に重ねられている。例えば、上側部分７２は、中鼻甲介３８にクリップ留めすることを意図しており、一方で下側部分７４は、下鼻甲介４０にクリップ留めすることを意図している。
【００４７】
このために、各部分７２，７４は、本発明の第１の実施形態に係るインプラント１０の中央部分１４と同様の方法で作製されている。
【００４８】
したがって、上側部分７２は、長手方向の波状部を有する２つのロッド７６，７８によってそれぞれ定義される２つの壁部を含み、これらの壁部は、互いに実質的に向かい合って延び、その間に第１の生物学的隆起を把持することを目的とする。図９の背景側にある壁部は、前景側の壁部と区別するために点線で示されている。説明される例では、２つの壁部は平面状であり、長手方向Ｌと垂直方向Ｖとで定義される平面に平行して延びている。例えば、壁部は、３０〜５０ｍｍの間に含まれ、例えば４０ｍｍである長さと、２０〜３０ｍｍの間に含まれ、例えば２５ｍｍである高さと、を有する。長手方向の波状部により、各ロッド７６，７８は、それ自体で数回折り畳まれる。より具体的には、各ロッド７６，７８は、垂直平行バーを有し、これらのバーは、バーの一端から他端への交互の蛇行によってその端が連結されている。よって、各壁部は、バーを互いに近づけることにより、長手方向に折り畳むことができる。説明される例では、これらのバーは、後部から前部にかけて短くなる長さを有し、よって、各壁部は、壁部の後縁部から前縁部にかけて減少する高さを有する。
【００４９】
上側部分７２は、各壁部に対して、壁部の下縁部に沿って長手方向に延びる構造補強要素をさらに含む。説明される例では、各構造補強要素は、長手方向の波状部を有するそれぞれのロッド８０，８２を含み、関連する壁部の圧縮と同時に、構造補強要素の長手方向の圧縮を可能にする。ロッド８０，８２の長手方向の波状部は、ロッド７６，７８の波状部よりもはるかに小さい、例えば少なくとも１０分の１の高さを有する。
【００５０】
同様に、下側部分７４は、長手方向の波状部を有する２つのロッド８４，８６によってそれぞれ定義される２つの壁部を含む。説明される例では、下側部分７４の壁部は、例えば、１０から３０ｍｍの間に含まれる一定の高さを有する。下側部分７４は、それぞれ壁部の下縁部に沿って長手方向に延びる、２つの構造補強要素をさらに含む。これらの構造補強要素は、説明される例では、上側部分７２に関して長手方向の波状部を有する、２つのロッド８８，９０をそれぞれ含み、これらの長手方向の波状部は、ロッド８６，８４の長手方向の波状部よりもはるかに小さい、例えば少なくとも１０分の１の高さを有する。
【００５１】
インプラント７０は、下側部分７４を上側部分７２に取り付ける連結要素をさらに含む。説明される例では、この連結要素は、上側部分７２および下側部分７４のそれぞれの２つの構造補強要素の前端を接続する、実質的に垂直のロッド９２を含む。
【００５２】
第１の実施形態に係るインプラント１０に関しては、ロッド７６〜９２は、例えば、形状記憶および／または超弾性特性を有する材料で作製されている。
【００５３】
さらに好ましくは、ロッド７６〜９２は、好ましくは溶着なしで、所望の形状を得るために折り畳まれた単一のワイヤから作製される。
【００５４】
さらに好ましくは、ロッド７６〜９２は、吸収性材料で作製され、すなわち、材料は、腔所の生物学的環境の影響下で、例えば２年未満で漸進的な吸収により完全に消失するように構成される。好ましくは、吸収性材料が使用される場合、溶着は提供されない。
【００５５】
説明される例では、インプラント７０には、センサが無いことがさらに理解される。
【００５６】
よって、ロッド７６，７８，８４，８６により定義された壁部、および、ロッド８０，８２，８８，９０により形成された構造補強要素は、図９に２本の太線の矢印によって示されるように、それ自体に対して長手方向に折り畳まれて、図１０に示される圧縮状態を得ることができる。この圧縮状態では、インプラント７０は、鼻腔３４内に導入して展開し、図９の展開状態に戻ることができるものであり、上側部分７２により形成されるクリップが、中鼻甲介３８を把持し、下側部分７４により形成されるクリップが、下鼻甲介４０を把持する。
【００５７】
上述したような医療用インプラントは、生物学的隆起に対して持続可能にクリップ留め可能であり、一方で、折り畳まれた状態で、腔所に容易に導入できることが、明らかに理解される。このインプラントは、耳鼻咽喉科手術手順や、さらには脳神経外科手術に、あるいはこの種のインプラントの使用を必要とする他の任意の種類の外科専門分野に、特に適している。この場合、インプラント１０または７０の形状は、すべての所望の用途に適合させることができ、したがって非常に多様となり得る。
【００５８】
さらに、本発明は、上述の実施形態に限定されないことに留意されたい。実際に、当業者には、開示されたばかりの教示に鑑みて、上述の実施形態に様々な修正を加え得ることが理解されるであろう。
【００５９】
特に、各壁部は、ロッドの代わりに、アコーディオン状に折り畳まれたシートを含むことができる。
【００６０】
添付の特許請求の範囲において、使用される用語は、特許請求の範囲を本明細書に記載の実施形態に限定するものと解釈されるべきではなく、特許請求の範囲がその定式化によりカバーすることを目的とし、かつ、その予測が、開示された教示の実施に当業者の一般的な知識を適用することにより当業者の手に届く範囲内にある、すべての同等物を含むと解釈されるべきである。
【図１】
2020529260.tif 000003
【図２】
2020529260.tif 000004
【図３】
2020529260.tif 000005
【図４】
2020529260.tif 000006
【図５】
2020529260.tif 000007
【図６】
2020529260.tif 000008
【図７】
2020529260.tif 000009
【図８】
2020529260.tif 000010
【図９】
2020529260.tif 000011
【図１０】
2020529260.tif 000012
【国際調査報告】
2020529260.tif 000013
2020529260.tif 000014
2020529260.tif 000015
2020529260.tif 000016